(57)【要約】      （修正有）【課題】容器の下部の貯水部を設けて水切り板を配置すると共に壁面を強化した豆腐容器を提供する。【解決手段】豆腐を収容する凹部を有し、この凹部の開口部を合成樹脂フィルム７で閉蓋してある合成樹脂製の豆腐容器において、この凹部を上部の収容部１と下部の貯水部２とに分割し、この貯水部２の高さと同じ高さの支持部４を底面から突設し、この容器の中で前記収容部１と前記貯水部２との境界に水切り板３を配置し、側面の対向面の２面にのみ段部５を形成し、この段部５と前記支持部４によって水切り板３を支持する豆腐容器の構成である。【選択図】図３
0003105874.tif 000002
【実用新案登録請求の範囲】
【請求項１】
豆腐を収容する凹部を有し、この凹部の開口部を合成樹脂フィルムで閉蓋してある合成樹脂製の豆腐容器において、
この凹部を上部の収容部と下部の貯水部とに分割し、この貯水部の高さと同じ高さの支持部を底面から突設し、この容器の中で前記収容部と前記貯水部との境界に水切り板を配置し、この水切り板が収容部の下端内周縁に密接して前記支持部で支持されていることを特徴とする豆腐容器。
【請求項２】
豆腐を収容する凹部を有し、この凹部の開口部を合成樹脂フィルムで閉蓋してある合成樹脂製の豆腐容器において、
この凹部を上部の収容部と下部の貯水部とに分割し、この貯水部の高さと同じ高さの支持部を底面から突設し、この容器の側壁の前記収容部と前記貯水部との境界部分で、前記貯水部の開口部を前記収容部の下端より小さめに形成して段部を設け、前記水切り板が前記側壁段部と前記支持部とで支持してなることを特徴とする納豆容器。
【請求項３】
前記側壁に形成する段部が全周壁の対向する側壁にのみに形成され、他の側壁は収容部と貯水部とが連接した平面に形成されていることを特徴とする請求項２に記載の豆腐容器。
【考案の詳細な説明】
【技術分野】
【０００１】
本考案は、コンビニエンスストア、スーパー店などで販売されている商品の豆腐容器に関する。特に、水切り貯水部を具えた豆腐容器に関する。
【背景技術】
【０００２】
昨今は所定の大きさの豆腐を豆腐容器に入れてスーパーやコンビニエンスストア等で販売されている。この豆腐容器として水分を多量に含んでいる豆腐であるため、店頭で放置している間に水分が染み出て豆腐から分離することが多くあった。そのため水切りのために容器が工夫されている。例えば、特許文献１や特許文献２の容器の底部を薄肉に形成して開封し易くしたものである。
【０００３】
【特許文献１】実開昭６２−６２８６号公報第１図
【特許文献２】実開平２−１３５４１９号公報第１図
【０００４】
特許文献１は、容器の開口部に水切り板を配置してあり、内部の水を排水してから豆腐を取り出すものである。特許文献２は、底部分を薄肉に形成してあり、この部分から水切りを行うものである。このように豆腐を取り出すに際して従来は水切り作業を必要としていた。
【考案の開示】
【考案が解決しようとする課題】
【０００５】
従来の豆腐容器は、容器から豆腐を取り出す前に水切りを行う必要があった。本考案はこの様な面倒な作業をせずに簡易に豆腐を取り出すことができる豆腐容器を提供する。
【０００６】
この考案の課題は、容器の下部の貯水部を設けて水切り操作のいらない豆腐容器を提供することである。
また、本考案の課題は容器の周壁に段部を形成して内部に配置した水切り板が支持部と側壁段部とによって支持され、強度のある豆腐容器を提供することである。
また、この考案の課題は、製造コストが低廉な水の滴る豆腐を収容する豆腐容器を提供するものである。
【課題を解決するための手段】
【０００７】
本考案の前記課題は、次のような構成によって達成することができる。
豆腐を収容する凹部を有し、この凹部の開口部を合成樹脂フィルムで閉蓋してある合成樹脂製の豆腐容器において、この凹部を上部の収容部と下部の貯水部とに分割し、この貯水部の高さと同じ高さの支持部を底面から突設し、この容器の中で前記収容部と前記貯水部との境界に水切り板を配置し、この水切り板が収容部の下端内周縁に密接して前記支持部で支持してなる豆腐容器の構成である。この貯水部は収容部の豆腐の水分を貯水可能な容積である。
【０００８】
。
また、この考案の課題は、豆腐を収容する凹部を有し、開口部を合成樹脂フィルムで閉蓋してある合成樹脂製の豆腐容器において、この凹部を上部の収容部と下方の貯水部とに分割し、この貯水部の高さと同じ高さの支持部を底面から突設し、この容器の中で前記収容部と前記貯水部との境界に水切り板を配置し、側壁の前記収容部と前記貯水部との境界部分で段部が形成され、前記貯水部の開口部を前記収容部の下端より小さめに形成し、前記水切り板が前記側壁の段部と前記支持部とで支持してなる豆腐容器の構成によって達成できる。
【０００９】
本考案の豆腐容器は、一般的に使用されているポリエステル樹脂、ポリプロピレン樹脂、ポリエチレン樹脂、酢酸ビニール樹脂、スチレン樹脂などによって一回の型抜きで製造することができ、側壁に段部を具えていないから低廉に製造することができる。
【考案の効果】
【００１０】
本考案の豆腐容器は、収容部と貯水部との境界に段部が形成されておらず連接した平面になっているから壁面に強度がある。また、段部がないので簡易に型造りできるから低廉に製造することができる。
【考案を実施するための最良の形態】
【００１１】
本考案の豆腐容器について図面に示す実施の形態に基づいて説明する。
図１は本考案の豆腐容器の斜視図である。図２は本考案豆腐容器の底からの斜視図である。図３は図１の縦断正面図である。図４は図１の縦断側面図である。
【００１２】
本考案の豆腐容器は上部の収容部１と下部の貯水部２とから形成されており、この中間に水切り板３が配置してある。この容器の周壁８の収容部１と貯水部２との境界部分を無くして直線平面に傾斜して形成してある。この貯水部２の底には支持部４が突設してある。この支持部４の形状は特定しないが、水切り板３を支持する大きさになっている。図面では真中中央部に支持部一個を形成してあるが、この支持部の形状は丸でも楕円形でもよく、また数箇所に配置してあってもよい。本考案では水切り板３の真中に位置して突設してある。
【００１３】
図２の実施形態では周囲壁８の対向する二面の壁面６に段部５が形成してある。この段部５、５は中に収容する水切り板３の載置台として働き、中央に配置した支持部４とともに水切り板３が支持されている。この段部５は対向する壁面６にのみ形成し、他の周壁８は収容部１と貯水部２とが連接した平面になっている。
【００１４】
この様な容器内に中仕切りとして水切り板３を嵌合して豆腐を入れて、開口部は合成樹脂フィルム７で密封してシールする。水切り板３があるため豆腐を取り出すときに水を除去する手間が省け取扱が便利である。
【００１５】
この考案の豆腐容器の実施形態によっては、周壁８の四面に段部５が形成されておらず、縦長部分に段部が形成されず平面になっているから壁面の強度があり、店頭で積み重ねた時に容器が潰れるおそれがない。
【図面の簡単な説明】
【００１６】
【図１】本考案の豆腐容器の斜視図である。
【図２】本考案の豆腐容器の底からの斜面図である。
【図３】図１の縦断正面図である。
【図４】図１のの縦断側面図である。
【符号の説明】
【００１７】
１      収容部
２      貯水部
３      水切り板
４      支持部
５      段部
６      側壁
７      合成樹脂フィルム
８      周壁
【図１】
0003105874.tif 000003
【図２】
0003105874.tif 000004
【図４】
0003105874.tif 000005
【図３】
0003105874.tif 000006